(57)【要約】【課題】比重分離法によるプラスチック廃材の分別精度をあげた小型の比重分別装置を提供する。【解決手段】被選別物を比重の差によって低比重の被選別物と高比重の被選別物を分別回収する比重分別装置において、（ａ）比重分離液を蓄えた分別槽と、（ｂ）該分別槽に被選別物を供給する供給手段と、（ｃ）前記比重分離液に実質的に水平方向の液流を発生させる液流発生手段と、（ｄ）前記液流方向に低比重の被選別物を移動する第１搬送手段と、（ｅ）前記液流と逆方向に、比重分離液の下方に沈降した高比重の被選別物を移動する第２搬送手段を備えた前記比重分別装置を提供する。  また、前記第２搬送手段は、比重分離液の下方に沈降した低比重の被選別物を再浮上させる機能を有する前記比重分別装置を提供する。【選択図】図１
2007244945.tif 000002
【特許請求の範囲】
【請求項１】
被選別物を比重の差によって低比重の被選別物と高比重の被選別物を分別回収する比重分別装置において、
（ａ）比重分離液を蓄えた分別槽と、
（ｂ）該分別槽に被選別物を供給する供給手段と、
（ｃ）前記比重分離液に実質的に水平方向の液流を発生させる液流発生手段と、
（ｄ）前記液流方向に低比重の被選別物を移動する第１搬送手段と、
（ｅ）前記液流と逆方向に、比重分離液の下方に沈降した高比重の被選別物を移動する第２搬送手段
を備えた比重分別装置。
【請求項２】
比重分離液の下方に沈降した低比重の被選別物を再浮上させる機能を有する請求項１に記載の比重分別装置。
【請求項３】
前記被選別物が、比重の異なる複数種のプラスチック廃材および／または金属廃材の破砕物である請求項１に記載の比重分別装置。
【請求項４】
前記被選別物がエアコン、テレビ、冷蔵庫および洗濯機からなる群から選ばれる家電製品の廃棄物の粉砕物である請求項１に記載の比重分別装置。
【請求項５】
前記比重分離液と前記低比重の被選別物と前記高比重の被選別物の各比重差は、
低比重の被選別物＜比重分離液＜高比重の被選別物、または、比重分離液＜低比重の被選別物＜高比重の被選別物である請求項１に記載の比重分別装置。
【請求項６】
前記液流は、前記分別層に付設された排出口の負圧により発生させる請求項１に記載の比重分別装置。
【請求項７】
前記液流は、前記分別槽内に実質的に水平方向に設けられたトンネル型のガイド内に発生させる請求項１に記載の比重分別装置。
【請求項８】
前記第２搬送手段が、スクリューコンベアである請求項１または２に記載の比重分別装置。
【請求項９】
前記スクリューコンベアのスクリューが、リボン状羽根を螺旋状に巻いたものである請求項８に記載の比重分別装置。
【請求項１０】
前記スクリューと同期し、スクリューガイド内周面に沿って回転する攪拌板を１つ以上設ける請求項９に記載の比重分別装置。
【請求項１１】
前記攪拌板の回転軸から先端までの長さが、スクリュー羽根の外周円の半径より長い請求項１０に記載の比重分別装置。
【請求項１２】
回収した前記被選別物を脱水するための脱水機を組み込んだ請求項１に記載の比重分別装置。
【請求項１３】
請求項１〜１２のいずれかに記載の比重分別装置を用いた被選別物の分別回収方法。
【請求項１４】
被選別物を比重の差によって低比重の被選別物と高比重の被選別物を分別回収する比重分別方法において、
比重分離液の一方から他方に流れる液流に前記被選別を供給する供給ステップと、
前記液流により前記他方まで移動する前記被選別物中の低比重の被選別物を搬送する第１搬送ステップと、
前記比重分離液の下方に沈降した前記被選別物中の高比重の被選別物を、前記液流の流れと逆方向に搬送する第２搬送ステップとを有する比重分別方法。
【請求項１５】
前記第２搬送ステップにおいて、沈降した前記被選別物に含まれる低比重の被選別物を前記液流まで再浮上させる請求項１４に記載の比重分別方法。
【請求項１６】
請求項１に記載の比重分別装置を組み込んでなる廃棄物処理システム。
【請求項１７】
請求項１６に記載の比重分別装置を組み込んでなる廃棄物処理システムにおいて、
被選別物を風力にて選別を行った後、請求項１に記載の比重分別装置を組み込むことを特徴とする分別回収方法。
【請求項１８】
請求項１６に記載の比重分別装置を組み込んでなる廃棄物処理システムにおいて、
被選別物を別の湿式比重選別を行った後、請求項１に記載の比重分別装置を組み込むことを特徴とする分別回収方法。
【請求項１９】
請求項１６に記載の廃棄物処理システムで回収されたプラスチックからなる再生プラスチック原料。
【請求項２０】
請求項１６に記載の廃棄物処理システムで回収されたプラスチックからなる再生プラスチック成形体。
【発明の詳細な説明】
【技術分野】
【０００１】
本発明は、プラスチック廃材などの被選別物を分別回収する比重分別装置、比重分別方法に関する。また本発明は、上記比重分別装置を用いて分別回収する方法、およびその方法を組み込んだ廃棄物処理システムに関する。また、本発明は、再生プラスチック原料または再生プラスチック成形体に関する。
【背景技術】
【０００２】
近年、わが国では、所得水準の向上に伴い、一般家庭に、エアコンディショナ（以下の説明において「エアコン」とも呼称する）、テレビジョン受信機（以下の説明において「テレビ」とも呼称する）、冷蔵庫、もしくは洗濯機などの家電製品、パーソナルコンピュータもしくはワードプロセッサなどの情報機器、プリンタもしくはファックスなどの事務用機器、その他各種の家具、文具、および玩具などが、高い普及率で備えられるようになっている。上述した各種の物資が一般家庭に備えられることで、家庭生活における利便性は飛躍的に向上しつつある。
【０００３】
上述した各種の物資が一般家庭に備えられるので、それら各種の物資の廃棄量も年々増加する傾向にある。従来、それら各種の物資の再資源化は、鉄くずの回収ルートを通して行なわれる場合が多かった。
【０００４】
それら各種の物資の構成材料のうち、鉄をはじめとする金属の割合が減少し、プラスチック組成物（「プラスチック部材」ともいう）の割合が増加する傾向にある。プラスチック部材は、鉄をはじめとする金属よりもデザインの自由度が大きい、構成成分の調製や添加剤の使用などにより金属では実現の難しい種々の特性を付与することができる、軽量である、耐久性が高いなどといった多くの利点を有するためである。
【０００５】
ただし、プラスチック部材は、有価性が低い。また、プラスチック部材の処理は、従来の方法である限り多大の手間と経費とがかかる。従来の鉄くずの回収ルートではこのような廃棄物を再資源化しても採算が取れない。次に述べる観点から、これらのプラスチック部材を含む製品（以下の説明において「プラスチック製品」と呼称する）の廃棄物の再資源化が重要かつ緊急の課題となりつつある。第１の観点は、資源の有効活用を図るという観点である。プラスチック部材には、原油などの化石燃料を基礎原料とするものが多いためである。第２の観点は、地球温暖化や酸性雨といった環境破壊を防止する観点である。地球温暖化や酸性雨がプラスチック部材の燃焼に起因するためである。第３の観点は、ダイオキシンの生成および飛散といった環境汚染を防止する観点である。ダイオキシンの生成および飛散が塩素化合物を含むプラスチック部材の焼却に起因するためである。第４の観点は、ゴミ埋立処理場の不足といった問題を抑制するという観点である。プラスチック製品の廃棄物は嵩が大きいので、プラスチック製品の廃棄物が増加すると、ゴミ埋立処理場が不足することとなる。
【０００６】
上述した課題を解決するため、２００１年４月に家電リサイクル法が施行された。家電リサイクル法は、エアコン、テレビ、冷蔵庫、および洗濯機の再生が義務付けられている。家電リサイクル法は、それらの製品の再商品化率として、エアコン６０％以上、テレビ５５％以上、冷蔵庫５０％以上、および洗濯機５０％以上の法定基準値を定めている。前述した「再商品化」という語は、次の２種類の行為のいずれかを指す。第１の行為は、上述した家電製品の廃棄物から部品および材料を分離し、自らこれを製品の部品または原材料として利用する行為である。第２の行為は、上述した家電製品の廃棄物から部品および材料を分離し、これを製品の部品または原材料として利用する者に有償または無償で譲渡し得る状態にする行為である。
【０００７】
その中で、プラスチック廃材の再資源化時に比重の異なる複数種のプラスチックで構成された混合物をプラスチック組成物の系統ごとに分離する方法として、混合物の比重差を利用し、液体中でプラスチック組成物の系統ごとに分離する方法が、広く用いられてきた。
【０００８】
特に、水に沈む、比重１．０より重いプラスチックを比重１．１の液体で分離することにより例えば、ＡＢＳ樹脂（比重：１．０５）、ポリスチレン（比重：１．０５）、ポリウレタン樹脂（比重：１．２）、ポリ塩化ビニル（比重：１．３）、ポリ塩化ビニリデン（比重：１．７）などが混合している材料から、ＡＢＳ樹脂（比重：１．０５）、ポリスチレン（比重：１．０５）を分離でき、マテリアルリサイクルやサーマルリサイクルが可能となる。
【０００９】
このような比重が１より大きなプラスチックを種類別に分離回収する従来技術として、比重水を水以外のものを使い分離回収する方法が、特許文献１に開示されている。
【００１０】
一方、扱いの容易な水を使って分離するものも提案されている。特許文献２、特許文献３には、一定の水流を作成し、沈降する速度差により、分離回収する比重選別装置が開示されている。
【００１１】
しかしながら、特許文献２や特許文献３に開示された比重選別装置においては、沈降した被選別物を別々に回収するために複数の受け箱を設ける必要があり、この受け箱内の被選別物を搬出する沈降物搬出装置とともに、比重選別装置自体が複雑になり大型化する。
【００１２】
さらに、選別槽の水流に対して横方向に回収槽を設け、横方向に被選別物を搬出する沈降物搬出装置を設けているために、回収槽と隣接する受け箱は、被選別物を搬送する距離が短く、選別時間が短くなり選別精度が低下する。
【００１３】
そのため、特許文献３においては、選別槽の水流に対して横方向に設けられた回収槽と、選別槽とを仕切る仕切り板に非選別防止装置を設け、選別が不十分なまま搬送される被選別物を選別槽に押し戻すことで再度選別を行っている。
【００１４】
しかしながら、上述した非選別防止装置は、選別槽と回収槽とを仕切る仕切り板に設けられているため、選別が不十分なまま搬送される被選別物を選別槽に押し戻すための作業領域が狭く、また、押し戻すための作業距離が短い。このため、選別が不十分な被選別物が被選別防止装置を通過した場合には、選別槽に押し戻すことが出来なくなり、結果として選別精度が低下することになる。
【００１５】
また、上述した非選別防止装置を複数個設けた場合には、比重分別装置自体が更に複雑化する。
【特許文献１】特開２００３−２２５６４６号公報
【特許文献２】特開平９−５７１４６号公報
【特許文献３】特開平９−１０８５９０号公報
【発明の開示】
【発明が解決しようとする課題】
【００１６】
本発明は、上記課題を解決するためになされたものであって、その目的とするところは、簡易な構成で、混合プラスチック部材をプラスチック組成物の系統ごとに、高精度に分離することができる比重分別装置、比重分別方法を提供することである。
【００１７】
また、該プラスチック組成物からマテリアルリサイクルによりプラスチック原料または再生プラスチック成形体を製造することができる、効率的かつ低コストにプラスチック廃材を再資源化し得る小型の比重分別装置を提供することである。
【００１８】
また、本発明の別な目的は、市場から回収されたプラスチック廃材などを、前記比重分別装置で分別回収する廃棄物処理システムを確立し、マテリアルリサイクルにより得られる、再生プラスチック原料または再生プラスチック成形体を提供することである。
【課題を解決するための手段】
【００１９】
本発明は、被選別物を比重の差によって低比重の被選別物と高比重の被選別物を分別回収する比重分別装置において、（ａ）比重分離液を蓄えた分別槽と、（ｂ）該分別槽に被選別物を供給する供給手段と、（ｃ）前記比重分離液に実質的に水平方向の液流を発生させる液流発生手段と、（ｄ）前記液流方向に低比重の被選別物を移動する第１搬送手段と、（ｅ）前記液流と逆方向に、比重分離液の下方に沈降した高比重の被選別物を移動する第２搬送手段を備えた前記比重分別装置を提供する。
【００２０】
また、本発明は、前記第２搬送手段は、比重分離液の下方に沈降した低比重の被選別物を再浮上させる機能を有する前記比重分別装置が好ましい。
【００２１】
また、本発明は、前記被選別物が、比重の異なる複数種のプラスチック廃材および／または金属廃材の破砕物である前記比重分別装置が好ましい。
【００２２】
また、本発明は、前記被選別物がエアコン、テレビ、冷蔵庫および洗濯機からなる群から選ばれる家電製品の廃棄物の粉砕物である前記比重分別装置が好ましい。
【００２３】
また、本発明は、前記被選別物の比重が１．０以上である前記比重分別装置が好ましい。
【００２４】
また、本発明は、前記液流は前記分別槽に付設された排出口の負圧により発生する前記比重分別装置が好ましい。
【００２５】
また、本発明は、前記液流は、前記分別槽内に実質的に水平方向に設けられたトンネル型のガイド内に発生させる前記比重分別装置が好ましい。
【００２６】
また、本発明は、第２搬送装置が、スクリューコンベアである前記比重分別装置が好ましい。
【００２７】
また、本発明は、前記スクリューコンベアのスクリューが、リボン状羽根を螺旋状に巻いた前記比重分別装置が好ましい。
【００２８】
また、本発明は、前記スクリューと同期し、スクリューガイド内周面に沿って回転する攪拌板を１つ以上設けた前記比重分別装置が好ましい。
【００２９】
また、本発明は、前記攪拌板の回転軸から先端までの長さが、スクリュー羽根の外周円の半径より長い前記比重分別装置が好ましい。
【００３０】
また、本発明は、回収した前記比重分別物を脱水するための脱水機を組み込んだ前記比重分別装置が好ましい。
【００３１】
また、本発明は、前記比重分別装置を用いた被選別物の分物回収方法を提供する。
また、本発明は、被選別物を比重の差によって低比重の被選別物と高比重の被選別物を分別回収する比重分別方法において、比重分離液の一方から他方に流れる液流に前記被選別を供給する供給ステップと、前記液流により前記他方まで移動する前記被選別物中の低比重の被選別物を搬送する第１搬送ステップと、前記比重分離液の下方に沈降した前記被選別物中の高比重の被選別物を、前記液流の流れと逆方向に搬送する第２搬送ステップとを有する比重分別方法を提供する。
【００３２】
また、本発明は、比重分別方法の第２搬送ステップにおいて、沈降した前記被選別物に含まれる低比重の被選別物を前記液流まで再浮上させるのが好ましい。
【００３３】
また、本発明は、前記分別回収方法を組み込んでなる廃棄物処理システムを提供する。
また、本発明は、廃棄物処理システムで回収されたプラスチックからなる再生プラスチック原料と再生プラスチック成形体を提供する。
【発明の効果】
【００３４】
混合プラスチック部材などからなるプラスチック廃材を、プラスチック組成物の系統ごとに簡易な構成で高精度に分離することができる。
【００３５】
また、高効率に、かつ小型の設備で比重分離することができる比重分別装置を提供することができる。
【００３６】
また、本発明の比重分別装置は、比重分離液中に沈降した被選別物を数回再浮上させる小型の手段を設けることができ、沈降した被選別物を再浮上させる回数を増やすことで、比重分別の精度を高めることができる。
【００３７】
また、比重分別装置を廃棄物処理システムに利用し、マテリアルリサイクルにより得られる、再生プラスチック原料または再生プラスチック成形体を提供することができる。
【発明を実施するための最良の形態】
【００３８】
＜比重分別装置＞
図１は、本発明の好ましい比重分別装置の一例を示す図である。以下、図１に基づいて、本発明の比重分別装置の構造について説明する。
【００３９】
本比重分別装置は、比重分離液２を蓄えた分別槽１の中にプラスチック廃材および／または金属廃材を破砕した被選別物５を投入し、比重分離手段によって比重分離液２を基準に低比重、高比重の被選別物を分離させ、別々に次々と搬送手段によって回収する装置である。分別槽１には、被選別物５を供給する供給手段として投入口７が設けられており、投入口７より被選別物５を投入する。また、分別槽１には、水平方向に液流を発生させる液流発生手段が設けられており、低比重の被選別物を、該水平方向の水流方向に搬送する第１搬送手段と、比重分離液２の下方に沈降した高比重の被選別物を、分別槽１の下方に備え付けられたスクリューコンベア１０などによって該液流と逆方向に搬送する第２搬送手段を具備している。
【００４０】
また、本比重分別装置は、比重分離液２より比重が大きい被選別物において、所定の比重より小さく、比重分離液２の比重寄りである低比重の被選別物と、所定の比重より大きい高比重の被選別物とを分離させ、別々に回収することができる。
【００４１】
すなわち、分別槽１には、被選別物５を供給する供給手段として投入口７が設けられており、投入口７より被選別物５を投入する。分別槽１内には、水平方向に液流を発生させる液流発生手段が設けられており、これにより発生した液流により、比重分離液２より大きい比重の被選別物ほど速く沈降するが、この沈降の時間差を利用して沈みきらない被選別物を搬送する第１搬送手段を備える。
【００４２】
ただし、沈降の時間差だけでは所望の範囲の比重を有する被選別物の回収率に限界がある。
【００４３】
そこで、沈降した被選別物のうち、比重の軽いものを再浮上させることで、再浮上した被選別物を上記液流に再度乗せるとともに、確実に沈降した被選別物を搬送する第２搬送手段を具備している。
【００４４】
なお、第１搬送手段と第２搬送手段の被選別物の搬送方向が互いに逆方向となっており、また、互いの搬送経路は上下に重なっている。
【００４５】
この構成により、沈降速度の速い比重の大きい被選別物ほど第２搬送手段で速やかに搬送・回収されるので再浮上する機会が少なくなる。逆に、沈降速度の遅い比重の小さい被選別物は、沈降した場合でも第２搬送手段の搬送経路上において充分に再浮上される機会があり、第２搬送手段の上方に位置する第１搬送手段により搬送されることになる。
【００４６】
比重分離液２は、特に限定はされないが水を使うのが好ましく、他に、例えば塩水などを用いることも可能であるが、比重の異なる被選別物からなる被選別対象に対して、分別したい被選別物と被選別物の間となる比重の液体が好ましい。
【００４７】
または、全ての被選別物の比重より小さく、かつ、第１搬送手段で搬送したい被選別物との比重差が小さい液体であれば良く、この場合の比重差は、０．００〜２程度の差が好ましい。
【００４８】
≪液流発生手段≫
図１に基づいて以下説明する。液流発生手段とは、分別槽１中の比重分離液２に実質的に水平方向の液流を発生させる手段のことをいう。図１において、分別槽１内の比重分離液２は、排液口６に向かって流れていくが、この液流は図に示す矢印方向に起こっている流れを意味しており、スクリューコンベア上端より所定の高さの範囲内、例えば、ガイド３内の高さＨの範囲内で一方から他方（水平方向）に向かう流れを意味し、液流の流速が他に比べて速いのが好ましい。
【００４９】
比重分離液２を蓄えた分別槽１内は、トンネル型のガイド３で仕切られ、その内部を一定速度の水が流れるようになっていることが好ましい。これは、分別槽１の内部全体で液流を起こした場合、水の入り口部で乱流が発生するためである。そして、ガイド３の天面をくり抜き、その部分に筒状の投入口７が形成されている。またガイド３の排液口６付近は、テーパー構造をなし、急激な液流の変化により、渦が発生しないようになっている。トンネル型のガイド３を使用することにより、一度、分別槽１内に比重分離液２を入れ、安定した状態で、ガイド３内に比重分離液２を送りこむため、ガイド３内では、乱流の発生を最小に抑えることができる。
【００５０】
ここで、液流はポンプ等を排液口６につなぎ負圧を作り出すことによって、渦の少ない流れを作ることができる。しかし、被選別物によっては、長いものが存在し、ポンプ内に長い被選別物が詰まり、ポンプが動作しなくなることがあるため、ポンプを使わずに、排液口６から、上記分別槽１内のガイド３より、水面が下にある水槽４と大径のパイプ１６でつなぎ比重分離液２の位置エネルギーを利用して、液流を作り出す方法が好ましい。
【００５１】
液流発生手段としては、上述した液流を発生させるためのポンプまたは位置エネルギーを利用した排液経路で構成されるが、上記ガイド３もその構成に含めても良い。
【００５２】
また、比重分離液２の液面に浮く被選別物５を回収するために、投入口７の下流方向に、ガイド３の天面がくり抜かれ、その周りを被選別物５が、分別槽１のガイド３以外の場所に逃げないように、液面より高くまで突き出した筒状のガイトで囲まれた、ＰＰ（ポリプロピレン）ガイド１５をつけてもよい。
【００５３】
また、ガイド３内での比重分離液２の流速の最適値は、被選別物５の大きさと、投入口７から排液口６の入り口までの図１に示すＬの距離、ガイド３の天面と底までのＨの高さによって変化する。前記Ｌと前記Ｈの関係は、例えば、Ｌを長くするほど選別精度が上がり、また流速を早くする必要がある。またＨを大きくするほど選別精度が上がり、また流速を遅くする必要がある。以上のことを考慮して、排出される被選別物の比重精度が高く、かつ、沈降した被選別物の最小比重が１．０〜１．１のある値になるように流速が選ばれる。具体的には１００〜３００ｍｍ／ｓｅｃ程度の範囲の速さが好ましい。
【００５４】
また、循環効率等の観点からガイド３内の比重分離液２の体積に対して、被選別物５は０．１〜５％の体積で循環させることが好ましい。
【００５５】
≪第１搬送手段≫
第１搬送手段は、前記液流方向に低比重の被選別物を比重差による沈降速度を利用して排液口６へ押し流すことで、低比重の被選別物を移動・回収する手段である。
【００５６】
前述の液流で、低比重の被選別物を搬送する。排液口６より流れ出た前記低比重の被選別物を含む比重分離液２は、一度水槽４で蓄積される。その後、該低比重の被選別物は、ストレーナ８等で比重分別液２と分離され、その後、遠心型などの脱水機９に送られ、脱水される。
【００５７】
一方上記ストレーナ８および脱水機９でプラスチックと分離された比重分離液２は、ポンプ等で分別槽１に戻される。そのことにより、比重分離液２は循環する。
【００５８】
第１搬送手段は、液流発生手段で発生させた液流で構成されるが、液流とともに被選別物を搬送するパイプ１６などの搬送経路および／または、被選別物と比重分離液２を分離するストレーナ８もその構成に含めても良い。
【００５９】
≪第２搬送手段≫
第２搬送手段は、液流と逆方向に比重分離液２の下方に沈降した高比重の被選別物を移動させ、回収する手段である。
【００６０】
比重がその比重分離液２よりも重たいものは、その比重よりも軽いもの、または、比重分離液より重たくても、沈降する時間差により液流で押し流されるもの、すなわち、上述した第１搬送手段で搬送されるものとは別に回収される必要がある。よって、本発明においては、分離対象となる被選別物において、低比重の被選別物が搬送される方向（第１搬送手段としての液流の方向）と、逆向きに高比重の被選別物を搬送する。逆向きに搬送するためには、沈降物の再浮上機構作成の容易さやメンテ周期の長さの理由から横型のスクリューコンベア１０であることが好ましい。
【００６１】
さらに横型のスクリューコンベア１０は、液流をみださないように、リボン型であることが好ましい。また、スクリューピッチと幅は、高比重の被選別物を十分に搬送でき、かつ後述する攪拌板１３を挿入できる大きさであることが好ましい。具体的には、幅１０〜４０ｍｍ、ピッチ５０〜３００ｍｍ、外径１００〜２００ｍｍのリボン型スクリューコンベア１０が好ましい。
【００６２】
ここから以下、図１におけるＩＩ−ＩＩの断面図である図２に基づいて説明する。
図２に示すように、駆動モータを有する横型のスクリューコンベア１０は、分離槽１の底部に設けられた半円凹状のくぼみに配置されており、ガイド３の下方に配置されている。スクリューコンベア１０の回転軸は、ガイド３の横幅の略中心に位置し、ガイド３の長手方向と平行となるように配置されている。
【００６３】
また、図１に示すように、スクリューコンベア１０の上部と、ガイド３の下部は、互いの開口部分が長手方向に沿って対向するように各々が構成されている。すなわち、ガイド３の一端から排液口６に至る他端に向かって流れる液流（第１搬送手段）とスクリューコンベア１０（第２搬送手段）とは互いの搬送経路が上下に重なるように位置する。
【００６４】
これにより、沈降した被選別物が再度浮上することで低比重の被選別物と高比重の被選別物を繰り返し選別するのに充分な距離を確保することができる。また、ガイド３の長手方向の長さと略同じ長さに渡って被選別物を再浮上することができるので比重分別装置の小型化が可能となる。
【００６５】
高比重の被選別物は、駆動モータを有する横型のスクリューコンベア１０などで、液流と逆方向に移動する。その後、高比重の被選別物は、横型のスクリューコンベア１０の排出口の真下にある縦型のスクリューコンベア１１の投入口に落下する。このとき、図２に示すように、横型のスクリューコンベア１０の排出口と駆動モータを有する縦型のスクリューコンベア１１の投入口は、水が漏れないように、両サイドがシールされた筒状のもので、つながれている必要がある。
【００６６】
次に、高比重の被選別物は、縦型のスクリューコンベア１１により水切りされて、排出口１２より排出される。このとき、スクリューコンベア１１は水平方向に対して、３０〜８０度縦方向に傾けることが好ましい。
【００６７】
なお、縦型のスクリューコンベア１１の代わりにはサン付きコンベアなどを用いても良い。
【００６８】
≪沈降した被選別物を再浮上させる機能≫
ここで、第２搬送手段は、液流方向に対して逆向きに高比重の被選別物を搬送する際に、沈降した低比重の被選別物の再浮上を同時に行なうことが好ましい。
＜例１＞
被選別対象物として比重分離液２の比重より小さい低比重の被選別物と、比重分離液２の比重より大きい比重の高比重の被選別物が混在しているプラスチック廃材から低比重の被選別物を分離する場合を説明する。
【００６９】
例えば、プラスチック廃材は、ポリプロピレン（比重：０．９）、ポリエチレン（比重：０．９）、ＡＢＳ樹脂（比重：１．０５）、ポリスチレン（比重：１．０５）、ポリウレタン樹脂（比重：１．１２）、ポリ塩化ビニル（比重：１．３）、ポリ塩化ビニリデン（比重：１．７）などの異種プラスチックの混合物であり、この中からポリプロピレンとポロエチレンを分離する場合、比重分離液２に水を用いる。液流の流速は、１ｍｍ以上１００ｍｍ未満／ｓｅｃが好ましい。
【００７０】
水より比重の小さいポリプロピレンとポリエチレンは第１搬送手段によって排液口６へ押し流されて搬送される。その他は沈降して、第２搬送手段で搬送される。
【００７１】
しかしながら、プラスチック廃材を分別槽１に投入すると、比重の異なるプラスチック同士が付着しあうことがある。
【００７２】
また、水の比重１より小さい低比重の被選別物（ポリプロピレン、ポリエチレン）と比重１より大きい高比重の被選別物（銅線など）が付着してしまうと低比重の被選別物が沈降してしまう。このような場合でも、第２搬送手段によって、付着しあった被選別物を再浮上させることで互いが離れて、低比重の被選別物を第１搬送手段で搬送することができる。
＜例２＞
被選別対象物として比重分離液２より比重の大きいプラスチック廃材から低比重の被選別物を分離する場合を説明する。
【００７３】
例えば、例１において、第２搬送手段で分離したプラスチック廃材を用いて説明する。このプラスチック廃材は、ＡＢＳ樹脂（比重：１．０５）、ポリスチレン（比重：１．０５）、ポリウレタン樹脂（比重：１．１２）、ポリ塩化ビニル（比重：１．３）、ポリ塩化ビニリデン（比重：１．７）などの異種プラスチックの混合物であり、この中から、低比重の被選別物として、ＡＢＳ樹脂とポリスチレンを分離する。比重分離液２に水を用いる。液流の流速は、１００ｍｍ以上３００ｍｍ以下／ｓｅｃとするのが好ましい。
【００７４】
沈降の時間差によって、水の比重に近いＡＢＳ樹脂やポリスチレンなどの低比重の被選別物は第１搬送手段によって排液口６へ押し流されて搬送されるが、一部が沈降してしまう。このような場合でも、第２搬送手段によって、低比重の被選別物を再浮上させることで、第１搬送手段で搬送することができる。その他は沈降して、第２搬送手段で搬送される。
【００７５】
このように、液流の速度を変えることで、比重分離液２の比重より小さい低比重の被選別物と、比重分離液２の比重より大きい比重の高比重の被選別物とに分別することができる。さらに、比重分離液２より比重の大きい被選別対象物を低比重の被選別物と高比重の被選別物に分別することもできる。
【００７６】
上述した通り、比重分離液２に沈降した被選別物には、高比重のものばかりではなく、低比重のものも含まれる。
【００７７】
特に、例２に示したプラスチック廃材を選別対象とした場合において、１回目の沈降した被選別物つまり、再浮上を一度も行なわないで排出口１２から回収した被選別物には、比重１．０〜１．１の被選別物を３０〜６０％含んでいるため、液流と逆方向に移動する間に、再浮上させ、比重１．０〜１．１の被選別物を回収し、その回収率を上げる必要がある。
【００７８】
そこで本発明では、沈降した高比重の被選別物の搬送と、沈降した低比重の被選別物の再浮上による分別を同時に数回行なう。比重分離の効率は上昇し、同時に沈降した被選別物を取り出すことも可能で全体としても効率が良いからである。再浮上は、上記スクリューコンベア１０に取り付けた攪拌板１３によって行なうことが好ましい。
【００７９】
以下、第２搬送手段の詳細な構成について、図２におけるスクリューコンベア１０を拡大した図３に基づいて説明する。本発明では、再浮上を上記スクリューコンベア１０に取り付けた攪拌板１３によって行なうことが好ましい。
【００８０】
攪拌板１３は、金属などのような、弾性のある部材で構成される。図３に示すように９０度の位置でガイドに取り付けられているリブ１４により、攪拌板１３が水平になった時点で、攪拌板１３の先端が止められる。そこで攪拌板１３はたわみ、その後の軸が少し回転したところで、先端がリブ１４より開放され、先端は高速で回転する。なお、攪拌板１３の回転軸から先端までの長さは、スクリュー羽根の外周円の半径より長くしているため、リブ１４はスクリューに干渉せず攪拌板１３のみに影響を及ぼす。また、リブ１４の高さは、攪拌板１３を一時とめることが出来ればよく、例えば、２〜５ｍｍのステンレスの角棒を使用することができる。また、攪拌板１３は、厚さ  ０．１〜０．５ｍｍ、幅２０〜１００ｍｍのステンレス板を使用することができる。
【００８１】
沈降した被選別物は、ガイド３のなかで液流のある部分まで上昇させられ、低比重の被選別物は、液流に乗って、排液口６から排出させる。一方、高比重の被選別物は、再浮上し、少しだけ液流に乗って液流の下流方向に流され、再び沈降する。高比重の被選別物は、再浮上しても低比重の被選別物より速く沈降するため、スクリューによって徐々に液流とは逆方向に移動するため、両者の分別が進む。
【００８２】
前記再浮上を繰り返すことにより、沈降した被選別物の比重分別の精度が向上していく。なお、再浮上回数が２０回を超えると、該精度は、ほぼ飽和するため、再浮上回数は２０回程度がよい。
【００８３】
ここで、２０回程度再浮上させることは、攪拌板１３と、送り方向側のスクリューとの隙間を被選別物５の大きさの１．５〜３倍程度にし、被選別物５の一部をそのまま通過させ、排出量をコントロールし、また攪拌板１３を４５〜７０度ピッチに配置することにより達成できる。
【００８４】
また、攪拌板１３によって高比重の被選別物が、上昇してまた下流方向に流され、沈降するまでの間に攪拌板１３によって再度浮上させられ、排液口６から流れ出ることを防ぐために、攪拌板１３は、投入口７より液流の下流側で一定以上の距離を開けて設置される必要がある。液流が１００〜３００ｍｍ／ｓｅｃのとき１００〜２００ｍｍ以上間隔をあけることで、比重の重い物が排液口６から流れ出ることを防ぐことができる。
【００８５】
また軸の回転速度は、上記リボンスクリュー羽根が、選別部の液流を大きく乱すことなく動作するには２０ｒｐｍ以下がよく、また、沈降した高比重の被選別物の排出量を確保するために、１０ｒｐｍ以上が必要である。
【００８６】
なお、該再浮上は、前記スクリューコンベアとは別に分別槽１の下方に泡を発生する手段を設置することで行なっても良い。また、分別槽１の下方から垂直方向にエアを注入することで液流を発生させることで再浮上させても良い。
＜比重分別装置で分別される被選別物＞
本発明の比重分別装置における被選別物は、比重の異なる複数種のプラスチック廃材および／または金属廃材である。プラスチック廃材とは様々な種類のプラスチックの混合物である。このプラスチック廃材は、ポリプロピレン（比重：０．９）およびポリエチレン（比重：０．９）以外に、ＡＢＳ樹脂（比重：１．０５）、ポリスチレン（比重：１．０５）、アクリル樹脂（比重１．１９）、ポリカーボネ-ト樹脂（比重：１．２０）、ポリウレタン樹脂（比重：１．１２）、ポリ塩化ビニル（比重：１．３）、ＰＯＭ（ポリオキシメチレン、比重：１．４１）、ポリ塩化ビニリデン（比重：１．７）などの異種プラスチックであり、金属廃材としては若干の銅線（比重：９）、ステンレス鋼製ビス（比重：８）、アルミニウム（比重：２．７）などが挙げられる。
【００８７】
また、被選別物は、家電４品目のエアコン、テレビ、冷蔵庫、および洗濯機から選ばれる家電製品の廃棄物の破砕物であることが好ましい。
【００８８】
本発明の比重分別装置に投入される被選別物は、上述した各プラスチック、各金属廃材のいずれか２つ以上が混合したものであり、破砕された廃棄物の内容によって、被選別物の内容も変化する。
【００８９】
上記静比重分離工程でポリオレフィン系のプラスチックを回収された、被選別物５は、投入口７より、一定の液流が作られているガイド３に投入される。投入された被選別物５は、液流に乗って、下流方向の排液口６に運ばれる。
【００９０】
この時高比重の被選別物は、浮力の差により沈み、低比重の被選別物は、底にまで沈むことなく、排液口６より、比重分離液２と共に流れでる。
【００９１】
投入される被選別物５は、比重１．０以上が好ましく、低比重の被選別物には、比重１．１未満のＡＢＳ樹脂（比重：１．０５）、ポリスチレン（比重：１．０５）などのいずれかが挙げられる。また、高比重の被選別物には、比重１．１以上のアクリル樹脂（比重１．１９）、ポリカーボネ-ト樹脂（比重：１．２０）、ポリウレタン樹脂（比重：１．１２）、ポリ塩化ビニル（比重：１．３）、ＰＯＭ（ポリオキシメチレン、比重：１．４１）、ポリ塩化ビニリデン（比重：１．７）などのプラスチック類および銅線、ステンレス鋼製ビス、アルミニウムのいずれかが含まれている。
＜廃棄物処理システム＞
図４は、本発明の廃棄物処理システムの好ましい一例を示す工程図である。廃棄物処理システムとは、前記比重分別装置による分別回収を組み込み統一された廃棄物処理の一連の流れである。
【００９２】
本装置を家電４品目の廃棄物から、ＰＳ（ポリスチレン）、ＡＢＳ樹脂を回収する場合に使用した１例を示す。なお、ステップ１０７を経た混合物が、本発明でいう図１における「被選別物５」に相当する。
【００９３】
この具体例においては、まず、図４に示すように、家庭などから廃棄された使用済みの家電４品目などを回収する（ステップ１０１）。そして、該家電の廃棄物を解体して、コンプレッサ、熱交換器などの大型の金属部品や、洗濯機の水槽、冷蔵庫の野菜ケースなどの大型プラスチック成形品を部品ごとに回収する（ステップ１０２）。本発明では、このステップ１０２の解体において、プラスチック廃材を選択的に回収し得ることが好ましい。
【００９４】
次に、大型金属部材などが回収された家電４品目の廃棄物の残りの部材を、たとえば衝式破砕装置やせん断式破砕装置などの大型破砕機で粗破砕する（ステップ１０３）。ステップ１０３における破砕物の粒径は、特に制限されるものではないが、１０ｍｍ以上であるのが好ましく、４０ｍｍ以上であることがより好ましい。また、破砕物の粒径は８０ｍｍ以下であることが好ましく、６０ｍｍ以下であることがより好ましい。破砕物の粒径が１０ｍｍ未満または８０ｍｍを超える場合には、次工程での金属の選別精度が低下するという傾向があり、さらに粒径が１０ｍｍ未満の場合には、破砕に長時間を要するため、プラスチックが溶融あるいは熱酸化劣化を起こすという傾向があり、また、粒径が８０ｍｍを超えると、嵩比重が小さくなり以後の工程での作業性に悪影響を及ぼすという傾向がある。具体的には、粒径が６０ｍｍ程度となるように破砕するのが特に好ましい。なお、コンプレッサ、熱交換器をはじめとする大型の金属部材などの破砕が困難な部材は、予め分解してプラスチック部材を含む廃棄物から取り外しておいてもよい。
【００９５】
続いて、該家電の廃棄物の破砕物を、鉄、銅、アルミニウムなどで形成された金属系破砕物とプラスチック系破砕物に分別する（ステップ１０４）。当該ステップにおける破砕された廃棄物を金属系破砕物とプラスチック系破砕物との分別には、たとえば、鉄の分別に適した磁力を用いた分別装置、アルミニウムや銅の選別に適した渦電流を用いた分別装置、粒度を均一にしてふるいにかけるトロンメル装置などを好適に用いることができる。
【００９６】
次に、金属系破砕物を分別（ステップ１０４）した後のプラスチック系破砕物より、低嵩比重破砕物をさらに分別することが好ましい（ステップ１０５）。ここで、低嵩比重破砕物とは、嵩比重が０．３以下の破砕物を意味する。低嵩比重破砕物の具体例としては、ポリウレタン系断熱材の破砕物や発泡スチロール系の破砕物などが挙げられる。この低嵩比重破砕物は、特に限定はされないが、風力による選別を行なうことが好ましい。したがって、風力分別装置を用いられることが好ましい。他の用いることができる装置としては振動ふるい装置などが挙げられる。なお、破砕された廃棄物を金属系破砕物とプラスチック系破砕物と低嵩比重破砕物とに選別する際に、風力による選別、磁力による選別、渦電流による分別を行なう場合には、その順序は特に特に制限するものではないが、分別の効率の観点からは、まず磁力により鉄系金属破砕物を分離し、次いで渦電流によりアルミニウム系金属や銅系金属の破砕物を分別し、続いて風力により低嵩比重破砕物を分別し、残った混合プラスチック系の破砕物を、以下のステップに供することが好ましい。
【００９７】
前記で得られた混合プラスチック系の破砕物は、微破砕工程（ステップ１０６）に供される。この微破砕は、たとえば、せん断式破砕装置を用いて行なうことができる（微破砕後のものを、以下「微破砕物」と呼ぶ。）。微破砕物の大きさに特に制限はないが、５ｍｍ以上であることが好ましく、特に８ｍｍ以上であることがより好ましい。また、この粒径は３０ｍｍ以下であることが好ましく、特に２０ｍｍ以下であることが好ましい。この粒径が５ｍｍ未満の場合には、破砕に長時間を要するためプラスチックが溶融あるいは熱酸化劣化を起こすという傾向があり、この粒径が３０ｍｍを超えると、加熱成形工程での作業性に悪影響を及ぼすという傾向があるためである。
【００９８】
なお、本発明の比重分別方法においては、手解体（ステップ１０２）により回収された水槽、冷蔵庫の野菜ケースなど大型のプラスチック成形品を、上述したステップ１０３〜ステップ１０５のステップを経ることなく、そのまま微破砕工程（ステップ１０６）に供するようにしてもよい。
【００９９】
次に、この混合物の被選別物を比重分離に供するために湿式比重分離を行なう（ステップ１０７）。この湿式比重分離の方法は、特に限定されず、公知の技術を用いても良い。また、本発明の比重分別装置の比重分離液に例えば、灯油などのような比重１．０以下の液体を用いることで実施されてもよい。このステップでは、比重が１．０以下のポリオレフィン系のプラスチック組成物（ポリプロピレンおよびポリエチレン）を回収する。あるいは、上述した例１のように本発明の比重分別装置を用いても良い。
【０１００】
次に、ポリオレフィン系のプラスチック組成物を回収した残りの被選別物（ポリプロピレン（比重：０．９）およびポリエチレン（比重：０．９）以外のプラスチック廃材で、ＡＢＳ樹脂（比重：１．０５）、ポリスチレン（比重：１．０５）、アクリル樹脂（比重１．１９）、ポリカーボネ-ト樹脂（比重：１．２０）、ポリウレタン樹脂（比重：１．１２）、ポリ塩化ビニル（比重：１．３）、ＰＯＭ（ポリオキシメチレン、比重：１．４１）、ポリ塩化ビニリデン（比重：１．７）などの異種プラスチックであり、金属廃材としては若干の銅線(比重：９)、ステンレス鋼製ビス（比重：８）、アルミニウム（比重：２．７）から、ポリスチレン系のプラスチック組成物（ＡＢＳ樹脂、ポリスチレン）を、本発明の比重分別装置で分別回収する。
【０１０１】
液流発生手段を有し、比重分離液として水（比重１）を蓄えた分別槽に、残りの被選別物を供給手段により投入し、比重１．０〜１．１にあるＰＳ（ポリスチレン）、ＡＢＳ樹脂など比重分離液１の比重に近い低比重の被選別物を第１搬送手段で搬送し、回収する。比重１．１より大きな高比重の被選別物は、第２搬送手段によって搬送し、回収する。比重分離液の下方に沈降した比重１．０〜１．１にある被選別物は、第２搬送手段により数回再浮上させて比重分別を繰り返し行ない、比重精度をあげることができる（ステップ１０８）。
【０１０２】
また、本発明の比重分別方法は、図３に示した各ステップの全てを備える必要はなく、また、図３に示されていないステップが必要により付加、あるいは削除されていても構わない。また、被選別物は、上述した各プラスチック廃材や各金属廃材をすべて含む必要はない。
【０１０３】
なお、本発明の比重分離装置における液流の流速を大きくすることで、上述したポリオレフィン系のプラスチック組成物および、ポリスチレン系のプラスチック組成物（ＡＢＳ樹脂、ポリスチレン）を回収した残りの被選別物から金属を回収することも可能である。ここでは、本発明の比重分別装置を使用し、液流の流速を例えば４００〜６００ｍｍ／ｓｅｃ程度にすると、残ったプラスチック廃材（アクリル樹脂、ポリカーボネ-ト樹脂、ポリウレタン樹脂、ポリ塩化ビニル、ＰＯＭ（ポリオキシメチレン）、ポリ塩化ビニリデン）を第１搬送手段により搬送し、銅などの金属を高比重選別物として第２搬送手段により搬送し、６０％の純度で回収することができる。回収物の残りは銅線などを被服する樹脂（ポリ塩化ビニル）などである。
【０１０４】
また、本発明の比重分別方法の異なる実施形態として、本発明の比重分別装置を用いて、比重の異なる複数種のプラスチック廃材および／または金属廃材からなる第１の廃材（ポリオレフィン系のプラスチック組成物（ポリプロピレン、ポリエチレンなどのいずれかひとつ以上）、ポリスチレン系のプラスチック組成物（ＡＢＳ樹脂、ポリスチレンなどのいずれかひとつ以上）、その他のプラスチック組成物（アクリル樹脂、ポリカーボネ-ト樹脂、ポリウレタン樹脂、ポリ塩化ビニル、ＰＯＭ（ポリオキシメチレン）、ポリ塩化ビニリデンなどのいずれかひとつ以上））、金属廃材（銅線、ステンレス鋼製ビス、アルミニウムなどのいずれかひとつ以上）に対して、比重分離液（例えば、水）に第１の流速（例えば、１ｍｍ以上１００ｍｍ未満／ｓｅｃ）の液流を発生させることにより、上記ポリオレフィン系のプラスチック組成物を第１の搬送手段で搬送・回収することができる。（第１の回収ステップ）
次に、上記ポリオレフィン系のプラスチック組成物が分離・回収された第２の廃材に対して、同じ比重分離液（例えば、水）を用いて、第１の流速より速い第２の流速（例えば、１００ｍｍ以上３００ｍｍ以下／ｓｅｃ）の液流を発生させることにより、上記ポリスチレン系のプラスチック組成物を第１の搬送手段で搬送・回収することができる。（第２の回収ステップ）
次に、上記ポリスチレン系のプラスチック組成物が分離・回収された第３の廃材に対して、同じ比重分離液（例えば、水）を用いて、第２の流速より速い第３の流速（例えば、４００〜６００ｍｍ／ｓｅｃ）の液流を発生させることにより、金属廃材を第２の搬送手段で搬送・回収することができる。（第３の回収ステップ）
上記比重分別方法は、上記各ステップを単独で構成しても良いし、連続させて構成しても良い。また、本発明の比重分別装置をひとつ用いて上記各ステップのいずれかを実施しても良いし、順番に実施しても良い。また、複数の比重分別装置の搬送経路（第１または第２の搬送手段）のいずれかと各比重分別装置の投入口をつなげて、連続的に実施しても良い。
【０１０５】
以上のことから、本発明の比重分別装置または比重分別方法によれば、同一の比重分離液を用いて、その液流を異ならせることにより、比重の異なる複数種のプラスチック廃材および／または金属廃材からなる廃材から、プラスチック組成物の系統毎に、および／または金属に分離することができる。
【０１０６】
よって、簡易な構成により、再商品化用途の原材料としての有価物（例えば、ポリオレフィン系のプラスチック組成物、ポリスチレン系のプラスチック組成物、金属）を、高精度で分離・回収することができる。
【０１０７】
≪再生プラスチック原料／成形体≫
本発明は、廃棄物処理システムによる回収物（プラスチック）から製造された再生プラスチック原料、再生プラスチック成形体を提供することができる。
【０１０８】
再生プラスチック原料は、ペレット状であることが好ましい。このとき、このペレットの粒径は１ｍｍ以上であることが好ましく、特に２ｍｍ以上であることがより好ましい。また、このペレットの粒径は８ｍｍ以下であることが好ましく、特に５ｍｍ以下であることがより好ましい。このペレットの粒径が１ｍｍ未満の場合には、浮遊するため作業性が低下するという傾向があり、このペレットの粒径が８ｍｍを超えると、成形機のシリンダー内で十分に溶融しないため均一混練されないという傾向があるためである。
【０１０９】
なお、ペレット状の再生プラスチック原料を成形する場合、押出成形した後に、シートカット、ストランドカット、ホットエアカット、アンダーウォーターカットなどのいずれの方法により造粒してもよい。これらの造粒方法の中でも、後に射出成形により特定の形状に成形する場合には、樹脂原料の供給が円滑に行なえ、大量処理にも対応できるアンダーウォーターカットが特に好ましい。
【０１１０】
なお、本発明の再生プラスチック原料の形状としては、ペレット状に特に限定されるものではなく、たとえばシート状、フィルム状、パイプ状などいずれの形態であってもよく、押出成形機の種類、使用の態様あるいは求められる特性などから適宜決定すればよい。
【０１１１】
さらに、本発明の再生プラスチック原料には、熱安定剤や光安定剤、帯電防止剤、滑剤、フィラー、銅害防止剤、抗菌剤、着色剤などの添加剤を、必要により、本発明の効果を害しない範囲の量で添加してもよい。
【０１１２】
再生プラスチック成形体は、プラスチックからなる部材（プラスチック部材）であってもよい。この場合、このプラスチック部材は、エアコン、テレビ、冷蔵庫および洗濯機よりなる群から選ばれる製品に用いられることが好ましい。
【０１１３】
前記プラスチック部材は、上記の再生プラスチック原料から、射出成形などの方法を用いて成形することができる。このとき用いる射出成形機としては、特に限定するものではないが、たとえばスクリューインライン式射出成形機、プランジャ式射出成形機などが挙げられる。
【０１１４】
また、このプラスチック部材の成形のステップをより簡略化するために、ペレット状などの形状を有する再生プラスチック原料を作製することなく、破砕したプラスチックを射出成形機にそのまま投入し、プラスチックからなる部材を直接作製しても構わない。
【０１１５】
さらに、このプラスチックからなる部材は、熱安定剤や光安定剤、帯電防止剤、滑剤、フィラー、銅害防止剤、抗菌剤、着色剤などの添加剤を、必要により、本発明の効果を害しない範囲の量で添加した上で成形して作製してもよい。これらの添加剤を添加するステップとしては、押出成形機または射出成形機への上記の再生プラスチック原料または破砕したプラスチックの投入時が好ましい。
【実施例】
【０１１６】
＜実施例１＞
図１に基づいて以下の実施例を説明する。
【０１１７】
粒径１４ｍｍ以下の混合プラスチック系の破砕物を被選別物５として、本発明の比重分別装置で分別を行なった。被選別物は、ＡＢＳ樹脂（比重：１．０５）、ポリスチレン（比重：１．０５）、ポリウレタン樹脂（比重：１．１２）、ポリ塩化ビニル（比重：１．３）、ポリ塩化ビニリデン（比重：１．７）などの異種プラスチックがおよび若干の銅線、ステンレス鋼製ビス、アルミニウムが含まれていた。比重分離液２は水（比重：１）を用いた。
【０１１８】
投入口７から排液口６の入り口までのＬの距離は、３３０ｍｍとし、またガイド３のＨの高さは１３０ｍｍとしたところ、流速は、２５１ｍｍ／ｓｅｃが最適値となった。
【０１１９】
このとき１度も沈むことなく排液口６から排出される破砕片は、比重１．０〜１．１であるプラスチックの総量の５５％であり、またその比重精度は、９８％であった。
【０１２０】
したがって、１回目の沈降した被選別物、つまり、排出口１２から回収した被選別物は、比重１．０〜１．１の破砕片を４５％含んでいるため、液流と逆方向に移動する間に、再浮上させ、比重１．０〜１．１の破砕片を回収し回収率を上げた。
【０１２１】
横型のスクリューコンベア１０にはここでは、幅３０ｍｍ、ピッチ１５０ｍｍ、外径２００ｍｍのリボン型のものを使用した。
【０１２２】
ここで、再浮上は、上記スクリューコンベア１０に取り付けた攪拌板１３によって行なった。攪拌板１３はスクリューコンベア１０の軸に取り付けた。攪拌板１３と、送り方向側のスクリューとの隙間を破砕片の大きさの２倍程度にし、破砕片の一部をそのまま通過させ、排出量をコントロールし、また攪拌板１３の枚数を８枚、６０度ピッチに配置することにより、沈降した被選別物を効率よく２０回再浮上させることができた。
【０１２３】
また、攪拌板１３によって高比重の被選別物が、上昇してまた下流方向に流され、沈降するまでの間に攪拌板１３によって再度浮上させられ、排液口６から流れ出ることを防ぐために、攪拌板１３は、投入口より下流側で１５０ｍｍ以上間隔の距離を開けて設置した。
【０１２４】
また、軸の回転速度は、上記リボンスクリュー羽根が、液流を大きく乱すことなく動作し、かつ、沈降した高比重の被選別物の排出量を確保するために、１５ｒｐｍにした。
【０１２５】
また、攪拌板１３は、厚さ０．３ｍｍ、幅４０ｍｍのステンレス板を用い、前記リブには３ｍｍのステンレスの角棒を使用した。
【０１２６】
上記条件で比重分別装置を使用することにより、比重１．０〜１．１にあるプラスチック（ＡＢＳ樹脂、ポリスチレン）を排液口６から排出させて、比重精度９８％、回収率８５％で回収することができた。
【０１２７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２８】
本発明の比重分別装置によれば、小規模な再浮上手段で、沈降した被選別物を再浮上する回数を増やすことが可能となり、省エネルギーで省スペースかつ高精度な比重分別が可能となる。また、扱いが容易な水を使うことができるため、低コストな装置を供給できる。
【０１２９】
また、上記比重分別装置を用いることで市場から回収されたプラスチック廃材からマテリアルリサイクルにより得られる、高精度な再生プラスチック原料または再生プラスチック成形体を提供することである。
【図面の簡単な説明】
【０１３０】
【図１】本発明の一実施形態である比重分別装置の断面図である。
【図２】図１におけるＩＩ−ＩＩ断面図である。
【図３】図２におけるスクリューコンベア１０を拡大した図である。
【図４】本発明の比重分別方法の一実施形態を示す工程図である。
【符号の説明】
【０１３１】
１  分別槽、２  比重分離液、３  ガイド、４  水槽、５  被選別物、６  排液口、７  投入口、８  ストレーナ、９  脱水機、１０，１１  スクリューコンベア、１２  排出口、１３  攪拌板、１４  リブ、１５  ＰＰガイド、１６  パイプ。
【図１】
2007244945.tif 000003
【図２】
2007244945.tif 000004
【図３】
2007244945.tif 000005
【図４】
2007244945.tif 000006